(57)【要約】【課題】揮発した有機溶剤により人体が悪影響を受けたり、引火を防ぐための吸引設備や防曝設備などを必要としない上、有価証券類や磁気カード、ＩＣカード、リライトカードなどのシート面に大きさや形状などを変えた保護層を容易に形成でき、しかも透明性を有する保護層を有するシートの提供。【解決手段】電子写真方式で無色トナーを用いてシート面に保護層を形成すれば、有価証券類や磁気カード、ＩＣカード、リライトカードなどのシート面に大きさや形状などを自由に変えた保護層を容易に形成でき、しかも形成された保護層は透明性を有する。【選択図】　　　図１
2004034343.tif 000002
【特許請求の範囲】
【請求項１】
シート面の所定部に、無色トナーを用いた保護層が施されていることを特徴とするシート。
【発明の詳細な説明】
【０００１】
【発明の属する技術分野】
本発明は、主に、有価証券類や磁気カード、ＩＣカード、リライトカードなどのシート面に保護層を有するシートに関する。
【０００２】
最近、磁気カード、ＩＣカード、リライトカードなどのカード類は、その利便性により、身分証明や出納処理など幅広い分野で利用されている。そして、これらのカード類は一般的に、センターコア材と呼ばれる不透明塩化ビニル樹脂やポリエチレンテレフタレート樹脂などからなる熱可塑性樹脂に透明塩化ビニル樹脂などからなるオーバーシート材を積層してなる定型サイズのカード基材から構成されており、通常、その外表面には所望の印刷などを被覆保護するための保護層が設けられている。
【０００３】
このように、保護層はカード面に施された印刷層などを視認できかつ被覆保護するために不可欠であり、従来はウレタン樹脂や酢酸ビニル塩化ビニル共重合体などの樹脂成分をトルエン、キシレン、メチルエチルケトン、メチルイソブチルケトンなどの有機溶剤に溶かしてなる溶剤系塗料や水性エマルジョン系塗料が用いられてきた。
【０００４】
【発明が解決しようとする課題】
しかしながら、樹脂成分を有機溶剤に溶かしてなる溶剤系塗料を用いた場合には、カード面への塗料の塗布工程において、有機溶剤の高い揮発性によって塗料の重量が急速に変化するため、塗布量を調整するのが難しく塗布適性に不都合が生じる。また、揮発した有機溶剤が人体に悪影響を及ぼしたり、あるいは引火し易いために、塗布工程や、特に乾燥工程において吸引設備や防曝設備などが必要とされる。
一方、水性エマルジョン系塗料は、揮発した有機溶剤により人体が悪影響を受けたり、引火を防ぐための吸引設備や防曝設備などを必要とせず優れているが、シート面の所定部に必要な大きさや形状の保護層を形成するのは困難で、所定の大きさや形状のものに限定されるという問題があった。
そこで本発明の目的は、従来の問題に鑑み、揮発した有機溶剤により人体が悪影響を受けたり、引火を防ぐための吸引設備や防曝設備などを必要としない上、有価証券類や磁気カード、ＩＣカード、リライトカードなどのシート面に大きさや形状などを変えた保護層を容易に形成でき、しかも透明性を有する保護層を有するシートを提供することである。
【０００５】
【課題を解決するための手段】
かかる課題を解決するため、本発明者は鋭意研究した結果、無色トナーを用いて電子写真方式でシート面に保護層を形成することにより、上記課題を好適に達成できることを見いだし、本発明を想到した。
【０００６】
すなわち、本発明の請求項１のシートは、シート面の所定部に、無色トナーを用いた保護層が施されていることを特徴とする。
【０００７】
電子写真方式で無色トナーを用いてシート面に保護層を形成すれば、揮発した有機溶剤により人体が悪影響を受けたり、引火を防ぐための吸引設備や防曝設備などを必要としない上、有価証券類や磁気カード、ＩＣカード、リライトカードなどのシート面に大きさや形状などを自由に変えた保護層を容易に形成でき、しかも形成された保護層は透明性を有する。
【０００８】
【発明の実施の形態】
以下、本発明の実施の形態を詳細に説明する。
図１は、本発明の保護層を有するシートの一例である磁気カードの断面を示す断面説明図である。
図１に例示したように、磁気カード１は、センターコア材とオーバーシート材を積層（図示せず）してなるカード基材２面に磁気記録層３が定着され、さらに、このカード基材２面には接着剤成分からなるアンカー層４を介してアルミ粉含有の銀色インクからなる隠蔽層５が設けられており、この隠蔽層５面には所望の印刷層６が施されると共に、その外表面には印刷層６を被覆保護するために電子写真方式で無色トナーを用いて保護層７が積層されている。
無色トナーを用いて電子写真方式でシート面に保護層７を形成するので、有価証券類や磁気カード、ＩＣカード、リライトカードなどのシート面に大きさや形状などを自由に変えた所望の保護層７を容易に形成でき、しかも形成された保護層７は透明性を有するので、保護層７を通して保護層７の下の印刷層６を見ることができる。
【０００９】
本発明で用いる無色トナーの樹脂成分としては、透明性を有するものを用いることが肝要であり、従来トナーの透明性を有する樹脂成分として用いられている天然および／または合成高分子を挙げることができる。
本発明で用いる樹脂成分の具体例としては、例えばポリエステル、ポリエチレン、ポリスチレンやスチレン共重合体（例えば、スチレン−アクリル樹脂、スチレン−ブタジエン樹脂など）、アクリレートおよびメタクリレート樹脂、ポリ塩化ビニル樹脂、酢酸ビニル樹脂、塩化ビニル／酢酸ビニル共重合樹脂、塩化ビニル／酢酸ビニル／マレイン酸共重合樹脂、ビニルブチラール樹脂、ポリビニルアルコール樹脂、ポリウレタン樹脂、ポリイミド樹脂、ポリアミド樹脂、ポリエーテル樹脂、エポキシ系樹脂などから選択される透明性を有する樹脂成分を挙げることができる。これら透明性を有する樹脂成分は２種以上混合して用いることもできる。
【００１０】
本発明で用いる無色トナーには、透明性を損なわない範囲で有機顔料、無機顔料、有機染料などあるいはこれらの２種以上の混合物を添加、外添することができる。
本発明で用いる無色トナーの具体例としては、例えば透明な低分子量ポリエステル樹脂を微粉砕、分級した無色トナーあるいはこの無色トナーにＳｉＯ２　やＴｉＯ２　などを外添した無色トナーを挙げることができる。
【００１１】
本発明においては、無色トナーを用い従来の電子写真方式により乾式現像あるいは湿式現像を行うことができる。
従来の電子写真方式には、光導電性絶縁体（フォトコンドラムなど）を利用し、コロナ放電などにより光導電性絶縁体上に一様な静電荷を与え、各種の手段により、この光導電性絶縁体上に光像を照射することによって静電潜像を形成し、次いで、潜像をトナー微粉末を用いて現像可視化し、紙などにトナー画像を転写した後、加圧、加熱、溶剤蒸発、光などの照射などの手段により紙などの記録媒体上にトナー画像を定着させて複写物を得る電子写真方式印刷（例えば、米国特許第２２９７６９１号など）や、光導電性絶縁体上に光像を照射する電子写真方式印刷などがある。
これらのトナーは、天然または合成高分子よりなるバインダ樹脂成分中に通常は発像成分としてカーボンブラックなどの有色顔料ないし有色染料を分散させたものを５〜２０μｍ程度に微粉砕した粒子が用いられている。かかるトナーは通常トナー単体もしくは鉄粉、ガラスビーズなどの担体物質（キャリア）と混合して用いられる。
【００１２】
本発明で用いる無色トナーには、透明性を損なわない範囲でさらに所望に応じて慣用されている添加成分、例えば、帯電制御剤、粘着付与剤、粘度調整剤、酸化防止剤、紫外線吸収剤、安定剤、滑剤などを少量含有させることができる。
【００１３】
本発明で用いる無色トナーの樹脂成分の種類や分子量、樹脂成分の含有量などは、本発明のシートの特性、デザインや使用する電子写真方式に合わせるなどして最適に調整されるものであり、特に限定されるものではない。しかし無色トナー中の樹脂成分の含有量は、通常５０〜９５質量％である。
【００１４】
本発明で用いる無色トナーは、従来公知の方法で製造できる。すなわち、樹脂成分、要すれば顔料、染料、帯電制御剤などを、例えば加圧ニーダ、ロールミル、エクストルーダなどにより溶融混練して均一に分散し、例えばジェットミルなどにより微粉砕して、風力分級機などの分級機により分級して所望のトナーを得ることができる。本発明で用いる無色トナーの粒子径は、従来公知のトナーの粒子径と同じでよく、具体的には約３〜２０μｍ程度、好ましくは１０μｍ前後である。
【００１５】
本発明で用いるシートの色は特に限定されず、透明でもあるいは不透明でもよく、白でも、有色でもよく、またシートの素材としては、ガラス繊維、アルミナ繊維、ポリエステル繊維、ポリアミド繊維などの無機または有機繊維からなる織布、不織布、マット、紙（例えば、上質紙、中質紙、合成紙、各種再生紙、アート紙、コート紙、ミラーコート紙、コンデンサー紙、パラフィン紙、その他の紙の他に、それにオーバーコート層（保護層）をもつ用紙など）あるいはこれらを組み合わせたもの、あるいはこれらに樹脂ワニスを含浸させて成形した複合シート、ポリアミド系樹脂シート、ポリエステル系樹脂シート、ポリオレフィン系樹脂シート、ポリイミド系樹脂シート、エチレン・ビニルアルコール共重合体シート、ポリビニルアルコール系樹脂シート、ポリ塩化ビニル系樹脂シート、ポリ塩化ビニリデン系樹脂シート、ポリスチレン系樹脂シート、ポリカーボネート系樹脂シート、アクリロニトリルブタジエンスチレン共重合系樹脂シート、ポリエーテルスルホン系樹脂シートなどのプラスチックシート、あるいはこれらにコロナ放電処理、プラズマ処理、紫外線照射処理、電子線照射処理、フレームプラズマ処理およびオゾン処理などの表面処理を施したもの、などの公知のものから選択して用いることができる。
【００１６】
なお、上記実施形態の説明は、本発明を説明するためのものであって、特許請求の範囲に記載の発明を限定し、或は範囲を減縮するものではない。又、本発明の各部構成は上記実施形態に限らず、特許請求の範囲に記載の技術的範囲内で種々の変形が可能である。
【００１７】
【発明の効果】
本発明の請求項１の保護層を有するシートは、シート面の所定部に、無色トナーを用いた保護層が施されていることを特徴とするものであり、電子写真方式で無色トナーを用いてシート面に保護層を形成するので、揮発した有機溶剤により人体が悪影響を受けたり、引火を防ぐための吸引設備や防曝設備などを必要としない上、有価証券類や磁気カード、ＩＣカード、リライトカードなどのシート面に大きさや形状などを自由に変えた保護層を容易に形成でき、しかも形成された保護層は透明性を有するので例えば印刷層の画像や文字などを保護層を通して視認できるという顕著な効果を奏する。
【図面の簡単な説明】
【図１】本発明の保護層を有するシートの１例の磁気カードの断面を示す断面説明図である。
【符号の説明】
１　本発明の保護層を有するシート（磁気カード）
２　カード基材
３　磁気記録層
４　アンカー層
５　隠蔽層
６　印刷層
７　保護層
【図１】
2004034343.tif 000003